【手続補正書】
【提出日】平成18年6月26日(2006.6.26)
【手続補正１】
【補正対象書類名】明細書
【補正対象項目名】発明の名称
【補正方法】変更
【補正の内容】
【発明の名称】印刷条件設定装置、印刷条件設定方法、及び、印刷条件設定用記録媒体
【手続補正２】
【補正対象書類名】明細書
【補正対象項目名】特許請求の範囲
【補正方法】変更
【補正の内容】
【特許請求の範囲】
【請求項１】  画像データを印刷する際に表示部を介して印刷条件の設定を受け付ける印刷条件設定装置であって、
予め定められている印刷条件に応じた印刷結果を示すシンボルを前記表示部に表示する表示手段と、
利用者によって指定された印刷条件の追加と変更のうち少なくとも一方の印刷条件に基づいて、前記表示部に表示されている前記シンボルを変化させる変化手段と、
を有することを特徴とする印刷条件設定装置。
【請求項２】  請求項１に記載の印刷条件設定装置であって、更に、
所定の印刷条件に対して所定の印刷結果を示すシンボルに係る情報が対応させられて記憶する記憶手段を有し、
前記変化手段は、前記利用者によって指定された印刷条件に基づいて、前記記憶手段から対応するシンボルに係る情報を読み出し、前記表示部に表示されている前記シンボルを変化させることを特徴とする印刷条件設定装置。
【請求項３】  前記印刷条件の追加を受け付けた場合には、
前記変化手段は、予め表示されているシンボルに対して、前記追加の印刷条件に応じた印刷結果を示すシンボルを重ねることによって、前記予め表示されているシンボルを変化させることを特徴とする請求項１又は２に記載の印刷条件設定装置。
【請求項４】  前記変化手段は、予め定め表示されているシンボルに対して、前記追加の印刷条件に応じた印刷結果を示す所定の文字又はイメージで示されたシンボルを重ねることを特徴とする請求項３に記載の印刷条件設定装置。
【請求項５】  前記表示手段は、片面印刷としての印刷条件に応じた印刷結果を示す第１のシンボルを表示し、
前記片面印刷としての印刷条件から両面印刷としての印刷条件への変更を受け付けた場合には、
前記変化手段は、前記第１のシンボルから、当該第１のシンボルの形状とは異なる形状である第２のシンボルに変更することを特徴とする請求項１又は２に記載の印刷条件設定装置。
【請求項６】  前記表示手段は、片面印刷としての印刷条件に応じた印刷結果を示す第１のシンボルを表示し、
前記片面印刷としての印刷条件から両面印刷としての印刷条件への変更、及び、とじしろ位置としての印刷条件の追加を受け付けた場合には、
前記変化手段は、前記第１のシンボルから、当該第１のシンボルの形状とは異なる形状である第２のシンボルに変更するとともに、前記第２のシンボルに対して、前記とじしろ位置としての印刷条件に応じた印刷結果を示す第３のシンボルを重ねることを特徴とする請求項１又は２に記載の印刷条件設定装置。
【請求項７】  前記印刷条件の追加と変更のうち少なくとも一方と、前記変化手段によって変化させた後のシンボルに係る情報とを対応させて、登録用記憶手段に記憶することで、新しいシンボルの登録を行う登録手段と、
前記登録手段により登録されたシンボルの中から所望のシンボルの選択を受け付け、当該受け付けたシンボルに基づいて、前記登録用記憶手段から対応する印刷条件を読み出し、当該読み出した印刷条件を前記利用者によって指定された印刷条件として扱うシンボル受付手段と、
を有することを特徴とする請求項１乃至６のいずれか一つに記載の印刷条件設定装置。
【請求項８】  画像データを印刷する際に表示部を介して印刷条件の設定を受け付ける印刷条件設定装置が実行する印刷条件設定方法であって、
前記印刷条件設定装置は、所定の印刷条件に対して所定の印刷結果を示すシンボルに係る情報が対応させられて記憶している記憶部を有しており、
予め定められている印刷条件に応じた印刷結果を示すシンボルを前記表示部に表示する表示ステップと、
利用者によって指定された印刷条件の追加と変更のうち少なくとも一方の印刷条件に基づいて、前記記憶部から対応するシンボルに係る情報を読み出し、前記表示部に表示されている前記シンボルを変化させる変化ステップと、
を実行することを特徴とする印刷条件設定方法。
【請求項９】  前記印刷条件の追加を受け付けた場合には、
前記変化ステップは、予め表示されているシンボルに対して、前記追加の印刷条件に応じた印刷結果を示すシンボルを重ねることによって、前記予め表示されているシンボルを変化させることを特徴とする請求項８に記載の印刷条件設定方法。
【請求項１０】  前記変化ステップは、予め定め表示されているシンボルに対して、前記追加の印刷条件に応じた印刷結果を示す所定の文字又はイメージで示されたシンボルを重ねることを特徴とする請求項９に記載の印刷条件設定方法。
【請求項１１】  前記表示ステップは、片面印刷としての印刷条件に応じた印刷結果を示す第１のシンボルを表示し、
前記片面印刷としての印刷条件から両面印刷としての印刷条件への変更を受け付けた場合には、
前記変化ステップは、前記第１のシンボルから、当該第１のシンボルの形状とは異なる形状である第２のシンボルに変更することを特徴とする請求項８に記載の印刷条件設定方法。
【請求項１２】  前記表示ステップは、片面印刷としての印刷条件に応じた印刷結果を示す第１のシンボルを表示し、
前記片面印刷としての印刷条件から両面印刷としての印刷条件への変更、及び、とじしろ位置としての印刷条件の追加を受け付けた場合には、
前記変化ステップは、前記第１のシンボルから、当該第１のシンボルの形状とは異なる形状である第２のシンボルに変更するとともに、前記第２のシンボルに対して、前記とじしろ位置としての印刷条件に応じた印刷結果を示す第３のシンボルを重ねることを特徴とする請求項８に記載の印刷条件設定方法。
【請求項１３】  前記印刷条件の追加と変更のうち少なくとも一方と前記変化ステップによって変化させた後のシンボルに係る情報とを対応させて登録用記憶部に記憶することで、新しいシンボルの登録を行う登録ステップと、
前記登録ステップにより登録されたシンボルの中から所望のシンボルの選択を受け付け、当該受け付けたシンボルに基づいて、前記登録用記憶部から対応する印刷条件を読み出し、当該読み出した印刷条件を前記利用者によって指定された印刷条件として扱うシンボル受付ステップと、
を実行することを特徴とする請求項８乃至１２のいずれか一つに記載の印刷条件設定方法。
【請求項１４】  請求項８乃至１３のいずれか一項に記載の各ステップをコンピュータで実行させるためのプログラムを記録したコンピュータ読み取り可能な印刷条件設定用記録媒体。
【手続補正３】
【補正対象書類名】明細書
【補正対象項目名】０００１
【補正方法】変更
【補正の内容】
【０００１】
【発明の属する技術分野】
本発明は、画像データを印刷する際に表示部を介して印刷条件の設定を受け付ける印刷条件設定装置、印刷条件設定方法、及び、印刷条件設定用記録媒体に関する。
【手続補正４】
【補正対象書類名】明細書
【補正対象項目名】０００３
【補正方法】変更
【補正の内容】
【０００３】
【発明が解決しようとする課題】
本発明は、上記に鑑みてなされたものであり、画像データを印刷する際に、簡単に印刷条件の設定を行うことができるようにすることを目的とする。
【手続補正５】
【補正対象書類名】明細書
【補正対象項目名】０００４
【補正方法】変更
【補正の内容】
【０００４】
【課題を解決するための手段】
上記課題を解決するために、請求項１にかかる発明は、画像データを印刷する際に表示部を介して印刷条件の設定を受け付ける印刷条件設定装置であって、予め定められている印刷条件に応じた印刷結果を示すシンボルを前記表示部に表示する表示手段と、利用者によって指定された前記印刷条件の追加と変更のうち少なくとも一方の印刷条件に基づいて、前記表示部に表示されている前記シンボルを変化させる変化手段と、を有することを特徴とする。
【手続補正６】
【補正対象書類名】明細書
【補正対象項目名】０００５
【補正方法】削除
【補正の内容】
【手続補正７】
【補正対象書類名】明細書
【補正対象項目名】０００６
【補正方法】変更
【補正の内容】
【０００６】
また、請求項２にかかる発明は、請求項１に記載の印刷条件設定装置であって、更に、所定の印刷条件に対して所定の印刷結果を示すシンボルに係る情報が対応させられて記憶する記憶手段を有し、前記変化手段は、前記利用者によって指定された印刷条件に基づいて、前記記憶手段から対応するシンボルに係る情報を読み出し、前記表示部に表示されている前記シンボルを変化させることを特徴とする。
【手続補正８】
【補正対象書類名】明細書
【補正対象項目名】０００７
【補正方法】削除
【補正の内容】
【手続補正９】
【補正対象書類名】明細書
【補正対象項目名】０００８
【補正方法】変更
【補正の内容】
【０００８】
また、請求項３にかかる発明は、請求項１又は２に記載の印刷条件設定装置において、前記印刷条件の追加を受け付けた場合には、前記変化手段は、予め表示されているシンボルに対して、前記追加の印刷条件に応じた印刷結果を示すシンボルを重ねることによって、前記予め表示されているシンボルを変化させることを特徴とする。
【手続補正１０】
【補正対象書類名】明細書
【補正対象項目名】０００９
【補正方法】変更
【補正の内容】
【０００９】
また、請求項４にかかる発明は、請求項３に記載の印刷条件設定装置において、前記変化手段は、予め定め表示されているシンボルに対して、前記追加の印刷条件に応じた印刷結果を示す所定の文字又はイメージで示されたシンボルを重ねることを特徴とする。
【手続補正１１】
【補正対象書類名】明細書
【補正対象項目名】００１０
【補正方法】変更
【補正の内容】
【００１０】
また、請求項５にかかる発明は、請求項１又は２に記載の印刷条件設定装置において、前記表示手段は、片面印刷としての印刷条件に応じた印刷結果を示す第１のシンボルを表示し、前記片面印刷としての印刷条件から両面印刷としての印刷条件への変更を受け付けた場合には、前記変化手段は、前記第１のシンボルから、当該第１のシンボルの形状とは異なる形状である第２のシンボルに変更することを特徴とする。
【手続補正１２】
【補正対象書類名】明細書
【補正対象項目名】００１１
【補正方法】変更
【補正の内容】
【００１１】
また、請求項６にかかる発明は、請求項１又は２に記載の印刷条件設定装置において、前記表示手段は、片面印刷としての印刷条件に応じた印刷結果を示す第１のシンボルを表示し、前記片面印刷としての印刷条件から両面印刷としての印刷条件への変更、及び、とじしろ位置としての印刷条件の追加を受け付けた場合には、前記変化手段は、前記第１のシンボルから、当該第１のシンボルの形状とは異なる形状である第２のシンボルに変更するとともに、前記第２のシンボルに対して、前記とじしろ位置としての印刷条件に応じた印刷結果を示す第３のシンボルを重ねることを特徴とする。
【手続補正１３】
【補正対象書類名】明細書
【補正対象項目名】００１２
【補正方法】変更
【補正の内容】
【００１２】
また、請求項７にかかる発明は、請求項１乃至６のいずれか一つに記載の印刷条件設定装置において、前記印刷条件の追加と変更のうち少なくとも一方と、前記変化手段によって変化させた後のシンボルに係る情報とを対応させて、登録用記憶手段に記憶することで、新しいシンボルの登録を行う登録手段と、前記登録手段により登録されたシンボルの中から所望のシンボルの選択を受け付け、当該受け付けたシンボルに基づいて、前記登録用記憶手段から対応する印刷条件を読み出し、当該読み出した印刷条件を前記利用者によって指定された印刷条件として扱うシンボル受付手段と、を有することを特徴とする。
【手続補正１４】
【補正対象書類名】明細書
【補正対象項目名】００１３
【補正方法】削除
【補正の内容】
【手続補正１５】
【補正対象書類名】明細書
【補正対象項目名】００１４
【補正方法】変更
【補正の内容】
【００１４】
また、請求項８にかかる発明は、画像データを印刷する際に表示部を介して印刷条件の設定を受け付ける印刷条件設定装置が実行する印刷条件設定方法であって、前記印刷条件設定装置は、所定の印刷条件に対して所定の印刷結果を示すシンボルに係る情報が対応させられて記憶している記憶部を有しており、予め定められている印刷条件に応じた印刷結果を示すシンボルを前記表示部に表示する表示ステップと、利用者によって指定された印刷条件の追加と変更のうち少なくとも一方の印刷条件に基づいて、前記記憶部から対応するシンボルに係る情報を読み出し、前記表示部に表示されている前記シンボルを変化させる変化ステップと、を実行することを特徴とする。
【手続補正１６】
【補正対象書類名】明細書
【補正対象項目名】００１５
【補正方法】削除
【補正の内容】
【手続補正１７】
【補正対象書類名】明細書
【補正対象項目名】００１６
【補正方法】変更
【補正の内容】
【００１６】
また、請求項９にかかる発明は、請求項８に記載の印刷条件設定方法において、前記印刷条件の追加を受け付けた場合には、前記変化ステップは、予め表示されているシンボルに対して、前記追加の印刷条件に応じた印刷結果を示すシンボルを重ねることによって、前記予め表示されているシンボルを変化させることを特徴とする。
【手続補正１８】
【補正対象書類名】明細書
【補正対象項目名】００１７
【補正方法】変更
【補正の内容】
【００１７】
また、請求項１０にかかる発明は、請求項９に記載の印刷条件設定方法において、前記変化ステップは、予め定め表示されているシンボルに対して、前記追加の印刷条件に応じた印刷結果を示す所定の文字又はイメージで示されたシンボルを重ねることを特徴とする。
【手続補正１９】
【補正対象書類名】明細書
【補正対象項目名】００１８
【補正方法】変更
【補正の内容】
【００１８】
また、請求項１１にかかる発明は、請求項８に記載の印刷条件設定方法において、前記表示ステップは、片面印刷としての印刷条件に応じた印刷結果を示す第１のシンボルを表示し、前記片面印刷としての印刷条件から両面印刷としての印刷条件への変更を受け付けた場合には、前記変化ステップは、前記第１のシンボルから、当該第１のシンボルの形状とは異なる形状である第２のシンボルに変更することを特徴とする。
【手続補正２０】
【補正対象書類名】明細書
【補正対象項目名】００１９
【補正方法】削除
【補正の内容】
【手続補正２１】
【補正対象書類名】明細書
【補正対象項目名】００２０
【補正方法】変更
【補正の内容】
【００２０】
また、請求項１２にかかる発明は、請求項８に記載の印刷条件設定方法において、前記表示ステップは、片面印刷としての印刷条件に応じた印刷結果を示す第１のシンボルを表示し、前記片面印刷としての印刷条件から両面印刷としての印刷条件への変更、及び、とじしろ位置としての印刷条件の追加を受け付けた場合には、前記変化ステップは、前記第１のシンボルから、当該第１のシンボルの形状とは異なる形状である第２のシンボルに変更するとともに、前記第２のシンボルに対して、前記とじしろ位置としての印刷条件に応じた印刷結果を示す第３のシンボルを重ねることを特徴とする。
【手続補正２２】
【補正対象書類名】明細書
【補正対象項目名】００２１
【補正方法】変更
【補正の内容】
【００２１】
また、請求項１３にかかる発明は、請求項８乃至１２のいずれか一つに記載の印刷条件設定方法において、前記印刷条件の追加と変更のうち少なくとも一方と前記変化ステップによって変化させた後のシンボルに係る情報とを対応させて登録用記憶部に記憶することで、新しいシンボルの登録を行う登録ステップと、前記登録ステップにより登録されたシンボルの中から所望のシンボルの選択を受け付け、当該受け付けたシンボルに基づいて、前記登録用記憶部から対応する印刷条件を読み出し、当該読み出した印刷条件を前記利用者によって指定された印刷条件として扱うシンボル受付ステップと、を実行することを特徴とする。
【手続補正２３】
【補正対象書類名】明細書
【補正対象項目名】００２２
【補正方法】変更
【補正の内容】
【００２２】
また、請求項１４にかかる発明は、請求項８乃至１３のいずれか一項に記載の各ステップをコンピュータで実行させる。
【手続補正２４】
【補正対象書類名】明細書
【補正対象項目名】００２３
【補正方法】削除
【補正の内容】
【手続補正２５】
【補正対象書類名】明細書
【補正対象項目名】００９０
【補正方法】変更
【補正の内容】
【００９０】
【発明の効果】
以上説明したように、本発明によれば、利用者によって指定された印刷条件に基づいて、表示部に表示されているシンボルを変化させることで、利用者はシンボルで印刷条件を把握することができるため、簡単に印刷条件の設定を行うことができる。
【手続補正２６】
【補正対象書類名】明細書
【補正対象項目名】００９１
【補正方法】削除
【補正の内容】
【手続補正２７】
【補正対象書類名】明細書
【補正対象項目名】００９２
【補正方法】削除
【補正の内容】
【手続補正２８】
【補正対象書類名】明細書
【補正対象項目名】００９３
【補正方法】削除
【補正の内容】
【手続補正２９】
【補正対象書類名】明細書
【補正対象項目名】００９４
【補正方法】削除
【補正の内容】
【手続補正３０】
【補正対象書類名】明細書
【補正対象項目名】００９５
【補正方法】削除
【補正の内容】
【手続補正３１】
【補正対象書類名】明細書
【補正対象項目名】００９６
【補正方法】削除
【補正の内容】
【手続補正３２】
【補正対象書類名】明細書
【補正対象項目名】００９７
【補正方法】削除
【補正の内容】
【手続補正３３】
【補正対象書類名】明細書
【補正対象項目名】００９８
【補正方法】削除
【補正の内容】
【手続補正３４】
【補正対象書類名】明細書
【補正対象項目名】００９９
【補正方法】削除
【補正の内容】
【手続補正３５】
【補正対象書類名】明細書
【補正対象項目名】０１００
【補正方法】削除
【補正の内容】
【手続補正３６】
【補正対象書類名】明細書
【補正対象項目名】０１０１
【補正方法】削除
【補正の内容】
【手続補正３７】
【補正対象書類名】明細書
【補正対象項目名】０１０２
【補正方法】削除
【補正の内容】
【手続補正３８】
【補正対象書類名】明細書
【補正対象項目名】０１０３
【補正方法】削除
【補正の内容】
【手続補正３９】
【補正対象書類名】明細書
【補正対象項目名】０１０４
【補正方法】削除
【補正の内容】